(57)【特許請求の範囲】
【請求項１】
磁気インピーダンス効果を有する少なくとも１つの磁性体と、平面内に位置する導体パターンからなり、該導体パターンを流れる電流が発生する磁界をバイアス磁界として上記磁性体に印加するバイアス磁界発生手段とを備え、
上記バイアス磁界発生手段は、該磁性体と略平行に同一の平面に配された複数の平面状のコイル要素と、これらコイル要素をその各々に流れる電流により発生する磁界が互いに逆になるように接続する接続部材とからなり、上記各コイル要素を流れる電流により発生した磁界の合成磁界をバイアス磁界として上記磁性体に印加することを特徴とする磁気インピーダンス効果素子。
【請求項２】
平面コイルが渦巻きコイルであり、上記接続部材が隣り合う渦巻きコイルの端部を相互に電気的に接続するとともに、上記磁性体が上記接続部材に沿って配置されていることを特徴とする磁気インピーダンス効果素子。
【請求項３】
請求項２に記載の磁気インピーダンス効果素子において、上記磁性体が一枚の支持基板の一つの主面上に配置され、かつ、上記平面コイルがコイル基板上に配置されており、上記支持基板がそのいま一つの主面を平面コイルに対向させて上記コイル基板上に配置されていることを特徴とする磁気インピーダンス効果素子。
【請求項４】
請求項２に記載の磁気インピーダンス効果素子において、上記磁性体と上記バイアス磁界発生手段とがそれぞれ電気的に絶縁されて支持基板の一つの主面上に支持されていることを特徴とする磁気インピーダンス効果素子。
【請求項５】
請求項２、３又は４に記載の磁気インピーダンス効果素子において、上記接続部材はその電流が流れる方向の寸法が磁性体のその配設方向に直角な方向の寸法よりも大きい導体パターンを有することを特徴とする磁気インピーダンス効果素子。
【請求項６】
請求項２に記載の磁気インピーダンス効果素子において、上記バイアス磁界発生手股が導線をその巻回方向が互いに逆となるように巻回してなる扁平ソレノイドコイルからなり、これら扁平ソレノイドコイルはその各々が発生する磁界の方向が逆になるように接続されていることを特徴とする磁気インピーダンス効果素子。
【請求項７】
請求項１に記載の磁気インピーダンス効果素子において、上記の磁性体の数が２であり、２つの該磁性体がバイアス磁界発生手段の平面状のコイル要素を狭んだ位置に配置されていることを特徴とする磁気インピーダンス効果素子。
【請求項８】
請求項７に記載の磁気インピーダンス効果素子において、上記平面状のコイル要素が少なくとも２つの渦巻きコイルからなり、接続部材は、少なくとも２つの渦巻きコイルの端部を、各々の渦巻きコイルに流れる電流により発生する磁界が互いに逆になるように電気的に接続し、上記磁性体が上記接続部材に沿って配置されていることを特徴とする磁気インピーダンス効果素子。
【請求項９】
請求項１に記載された磁気インピーダンス効果素子において、上記導体パターンは、該導体パターン中を流れる電流の方向に対して上記磁性体が略交差するように配設され、上記導体パターンはその電流が流れる方向の寸法が上記磁性体のその配設方向に直角な方向の寸法よりも大きい複数本の帯状パターンからなることを特徴とする磁気インピーダンス効果素子。
【発明の詳細な説明】
技術分野
本発明は、微小磁気を検出する磁気インピーダンス効果素子に関し、より詳しくは、テープレコーダ等の磁気記録装置やコンピュータの磁気記憶装置、各種の計測制御装置等において磁気を検出するための磁気ヘッド等に使用される磁気インピーダンス効果素子に関する。
背景技術
一般に、磁気を検出する素子としては、コイルが巻回されたコアに磁束を導き、コイルに鎖交する磁束の時間的な変化に比例する誘導起電力をコイルの両端から出力する巻線誘導検出形再生磁気ヘッド（inductive head）が従来より周知である。これに対し、近年、磁気記録の高密度化・大容量化に対応できることから、磁界によって電気抵抗が変化する磁気抵抗（ＭＲ）効果素子がパーソナルコンピュータの磁気記憶装置を始めとして、各種の電子機器に採用される傾向にある。特に、巨大磁気抵抗（ＧＭＲ）素子と呼ばれるものは、２０エルステッド（Ｏｅ）の磁界での電気抵抗の変化率が１０数パーセント程度と、従来の磁気抵抗効果素子に比べて数倍大きい値を有していることから、注目されている。
一方、上記のように磁界によって電気抵抗が変化する磁気抵抗素子効果素子に限らず、磁界によってインピーダンスが変化する磁気インピーダンス効果（ＭＩ）を利用した磁気インピーダンス効果素子も周知である（例えば、特開平６−２８３３４４号公報、特開平８−７５８３５号公報参照）。
例えば、特開平６−２８３３４４号公報には、円周方向に高い透磁率を有する円形断面の磁性体を備えたものが開示されている。この磁性体の両端に交流電流が印加されると、その円周方向磁束の時間変化に伴う電圧と、上記磁性体が有する電気抵抗と電流との積による電圧との和が磁性体両端の間に誘起される。そして、上記磁性体を励磁する交流電流の周波数が、磁性体の表皮効果を考慮しなくてもよい程に低い励磁周波数領域では、主に円周方向磁束の時間変化に伴う電圧が外部磁界により変化する。この際の円周方向磁束の時間変化に伴う電圧、つまりインダクタンスの変化はブリッジ回路で高精度に検出でき、このインダクタンスの変化に基づいて外部磁界を検出することができる。この種の素子は、外部磁界によるインダクタンスの変化から外部磁界を検出しているので、磁気インダクタンス（ＭＩ）効果素子と呼ばれている。
これに対し、表皮効果が現われるような高周波領域の交流電流を磁性体に通電すると、該磁性体両端間の電圧の振幅が外部印加磁界によって４０〜５０パーセントの変化を示すようになる。この場合、上記磁気インダクタンス効果素子は、しばしば磁気インピーダンス（ＭＩ）効果素子と呼ばれている。なお、磁気インピーダンス効果素子は、一般に、広義の意味で磁気インダクタンス効果素子を包含するものと解されており、本願においても、磁気インピーダンス効果素子で表わされる概念は、磁気インダクタンス効果素子を包含するものとする。
このように、磁気インピーダンス効果素子では、インダクタンスもしくはインピーダンスの変化として外部磁界を検出することができる。そして、このような磁気インピーダンス効果素子を使用すれば、巨大磁気抵抗素子よりもさらに高い感度を有する、例えば外部磁界が２エルステッドで５０パーセント、５エルステッドで８０パーセント程度の変化率を有する磁気検知素子を得ることができ、高速応答かつ低消費電力の磁気デバイスを構成することができる。
また、磁気インピーダンス効果素子は、巻線誘導検出形再生磁気ヘッドとは異なり、磁心にコイルを設置する必要がないため、構成が簡単で小型の素子を得ることができるという利点も有している。さらにまた、特開平８−７５８３５号公報に開示されているように、磁気インピーダンス効果を有する磁性体として、磁性薄膜を用いるものでは、さらに、小型で厚みの薄い磁気インピーダンス効果素子を得ることができる。このように、上記従来の磁気インピーダンス効果素子は小型であり、しかもコイルを必要としない簡単な構成で、巨大磁気抵抗効果素子を上回る高い検出感度を得ることができる利点を有している。
ところで、磁界は大きさ及び方向を有するベクトル量であるが、上記従来の磁気インピーダンス効果素子は、原理的に、スカラ量である磁束の変化に対して出力電圧が変化するものであり、従って、磁界の大きさは検出できるが、その方向までは検出できないという問題を有している。
これに対し、特開平９−１３３７４２号公報等には、磁界の大きさ及び方向を検出することができる磁気インピーダンス効果素子が提案されている。この種の磁気インピーダンス効果素子は、例えば図１および図２にその構成の一例を示すように、磁気インピーダンス効果を示す磁性体２とソレノイド状の巻き線コイル３とから構成されている。磁気インピーダンス効果素子１の巻き線コイル３の中には磁性体２が挿入され、該巻き線コイル３には直流電源４から直流電流を印加して磁性体２に一定方向の直流磁界をバイアス磁界５として印加する一方、磁性体２の両端に形成された電極を通して交流電源６から上記磁性体２に交流電流を通電している。外部磁界７による上記２極間の電圧の変化は電圧検出手段８によって検出され、出力端子９ａ，９ｂから取り出される。
磁性体１にバイアス磁界５を印加するのは、外部磁界７の方向を検出するためであり、図３に示すように、バイアス磁界５を印加しないときは、破線で示すように、磁性体２の両端間に生じる電圧変化は外部磁界強度に依存するが、磁界の極性（正負）には依存しないため点ａを中心に対称となり、電圧値から直ちに磁界の方向を特定することはできない。つまり、外部磁界の方向は検出できない。これに対し、磁性体１にバイアス磁界５を印加すると、外部磁界に対する磁性体２の両端の電圧変化は、例えば図３において実線で示すように破線に比べて横軸の正の方向にシフトしたものとなる。このシフトによって、外部磁界がゼロとなる点ｂ近傍での電圧変化は直線状になり、この領域では磁性体２からの出力電圧によって外部磁界の大きさと極性を一義的に決定することができる。
このように、従来の磁気インピーダンス効果素子８では、磁性体１の周囲に巻回した巻線コイル３により磁性体２にバイアス磁界５を印加すると、外部磁界の大きさとともにその方向をも検出することができ、磁界検出感度自体も向上する。
しかしながら、従来の磁気インピーダンス効果素子では、磁性体１にバイアス磁界５を印加するための巻き線コイル３を必要とするので、磁性体１と巻線コイル３の相互の配置関係から両者の形状や構造が制限されるという問題を有していた。さらにまた、素子の製造工程において、巻き線コイル３の中に磁性体２を挿入するか、または磁性体２の周囲に巻き線コイル３を巻回する工程が必ず必要となり、素子の製造が非常に複雑になるという問題を有していた。
発明の開示
本研究の主な目的は平面内に位置する導体パターンをバイアス磁界発生手段として応用することにより、厚み寸法が小さく構造が簡単で、かつ磁界の大きさと方向が検出できる小型の磁気インピーダンス効果素子を提供することにある。
本発明のいま一つの目的は、磁性体に印加されるバイアス磁界の大きさが制御可能で、種々の用途に用いられる磁気センサの仕様に簡単に対応することができる磁気インピーダンス素子を提供することである。
本発明のさらに他の目的は、磁界の大きさ及び方向が検出できるリニアな特性を持ち、かつ、信号／ノイズ比に優れた磁気インピーダンス効果素子を提供することである。
上記目的を達成するために、本発明に係る磁気インピーダンス効果素子は、平面状導体パターンに流れる電流が周囲に発生する合成磁界をバイアス磁界発生手段として用いることを特徴としている。すなわち、本発明の磁気インピーダンス効果素子は、磁気インピーダンス効果素子を有する磁性体と、磁性体に対するバイアス磁界を発生する平面状のバイアス磁界発生手段とからなる。バイアス磁界発生手段には、平面内に位置する導体パターンを用いるものや、平面状のコイル要素を用いるものがある。また、磁性体と平面状のコイル要素には各種の組み合わせが可能である。たとえば、一つの磁性体と複数の平面状のコイル要素を組み合わせるものや、二つの磁性体と一つ以上の平面状のコイル要素を組み合わせるものがある。磁性体とバイアス磁界発生手段は、１枚または２枚の基板に取りつけ可能である。
本発明に係る第１の磁気インピーダンス効果素子は、磁気インピーダンス効果を有する少なくとも一つの磁性体と、平面内に位置する導体パターンからなり、該導体パターンを流れる電流が発生する磁界をバイアス磁界発生手段とを備えることを特徴にしている。
本発明に係る第２の磁気インピーダンス効果素子は、上記第１の磁気インピーダンス効果素子において磁気インピーダンス効果を有する磁性体と、平面内に位置する導体パターンからなり、該導体パターン中を流れる電流の方向に対して略交差するように配設され、かつ、該導体パターンを流れる電流が発生する磁界をバイアス磁界として上記磁性体に印加するバイアス磁界発生手段を備え、該導体パターンはその電流が流れる方向の寸法が上記磁性体のその配設方向に直角な方向の寸法よりも大きい複数本の帯状導体パターンからなることを特徴としている。上記磁性体には時間的に変化する電流が通電され、そのときの磁性体のインピーダンスが外部磁界の大きさと方向に応じて変化する。このインピーダンスの変化が上記磁性体から信号として取り出される。上記磁性体にバイアス磁界を印加するためのバイアス磁界発生手段は平面内に位置する導体パターンからなるもので構成が簡単であり、コイルを磁性体に巻回するといった煩雑な工程が不要になる。また、バイアス磁界を発生する電流が流れる導体が実質的に平面内に位置しているので、磁気インピーダンス効果素子の全体の厚みが薄くなる。
また、上記磁性体が電気絶縁材料からなる支持基板の一つの主面上に支持されておれば上記磁性体が支持基板に支持され、かつ、該磁性体と該導体パターンが電気的に絶縁するされて支持されるので、基板の厚みにより磁性体とバイアス磁界発生手段との距離が正確に規定される。
また、上記磁性体は、上記導体パターン中に流れる電流の方向に対して略直角に配置されることが望ましい。上記面状導体パターンに流れる電流により発生するバイアス磁界は磁性体のすべての部分にわたって略一定になり、磁性体のすべての部分に均一なバイアス磁界が印加される。これにより、磁気インピーダンス効果素子の特性のばらつきが少なくなる。複数本の帯状導体パターンの各々には等しい電流が流れる。上記磁性体は上記導体パターン中に流れる電流の方向に対して略直角に配置されることが望ましい。これにより、各帯状導体パターンに流れる電流により発生される磁界が等しくなり、その合成磁界が各部でより均一になり、磁性体にはそのすべての部分でさらに均一なバイアス磁界が印加される。
本発明に係る第３の磁気インピーダンス効果素子は、上記第１の磁気インピーダンス効果素子において磁気インピーダンス効果を有する磁性体と、該磁性体と略平行に同一の平面に配された平面状のコイル要素からなり、これらコイル要素はその各々に流れる電流により発生する磁界が互いに逆になるように接続部材で接続され、上記各コイル要素を流れる電流により発生した磁界の合成磁界をバイアス磁界として上記磁性体に印加するバイアス磁界発生手段を備えたことを特徴としている。上記磁性体には時間的に変化する電流が通電され、そのときの磁性体のインピーダンスが外部磁界の大きさと方向に応じて変化する。このインピーダンスの変化が上記磁性体から信号として取り出される。上記磁性体にバイアス磁界を印加するためのバイアス磁界発生手段は平面状のコイル要素からなる簡単な構成を有するものであり、コイルを磁性体に巻回するといった工程が不要で、磁気インピーダンス効果素子の全体の厚みも薄くなる。
また、好ましくは、上述の第３の磁気インピーダンス効果素子において、上記平面コイルが渦巻きコイルであり、上記接続部材が隣り合う渦巻きコイルの端部を相互に電気的に接続するとともに、上記磁性体が上記接続部材に沿って配置されていることを特徴としている。上記渦巻きコイルに流れる電流をコントロールすることより、磁性体に印加されるバイアス磁界の大きさが制御される。これにより、磁気インピーダンス効果素子の動作点の調整も容易に行える。
さらにまた、好ましくは、上述の第３の磁気インピーダンス効果素子において、上記磁性体が一枚の支持基板の一つの主面上に配置され、かつ、上記平面コイルがコイル基板上に配置されており、上記支持基板がそのいま一つの主面を渦巻きコイルに対向させて上記コイル基板上に配置されていることを特徴としている。上記コイル基板をその渦巻きコイルの仕様が異なるものと交換することにより、磁性体に印加されるバイアス磁界の調整範囲を種々変更することが可能になる。
さらにまた、好ましくは、上述の第３の磁気インピーダンス効果素子において、上記磁性体と上記バイアス磁界発生手段とがそれぞれ電気的に絶縁されて支持基板の一つの主面上に支持されていることを特徴としている。上記磁性体は電気的に絶縁する層の厚みにより磁性体とバイアス磁界発生手段との距離が正確に規定される。
さらにまた、好ましくは、上述の磁気インピーダンス効果素子において、上記接続部材はその電流が流れる方向の寸法が磁性体のその配設方向に直角な方向の寸法よりも大きい導体パターンを有することを特徴としている。上記導体パターンとしては、複数本の帯状導体パターンであってもよい。
さらにまた、好ましくは、上述の第２の磁気インピーダンス効果素子において、上記バイアス磁界発生手段が導線をその巻回方向が互いに逆となるように巻回してなる扁平ソレノイドコイルからなり、これら扁平ソレノイドコイルはその各々が発生する磁界の方向が逆になるように接続されていることを特徴としている。上記扁平コイルに流れる電流及び位置を調整することにより、磁性体に印加されるバイアス磁界の大きさ及び分布が制御され、磁気インピーダンス効果素子の動作点の広範囲な調整が可能になる。また、扁平ソレノイドコイルを支持する基板も不要になる。
また、本発明に係る第４の磁気インピーダンス効果素子は、上記の第３の磁気インピーダンス効果素子において磁気インピーダンス効果を有する少なくとも２つの磁性体と、該磁性体と略平行に同一の平面に配された平面状のコイル要素を備えるバイアス磁界発生手段とからなり、少なくとも２つの該磁性体が該平面状のコイル要素を挟んだ位置に配置されている。コイル要素を流れる電流によりバイアス磁界が発生され、磁性体に印加される。
ここで、該磁性体の一方の端部は該平面状コイルの中心からコイル外周部を結ぶ半径方向の位置にあり、かつ、少なくとも２つの該磁性体は該平面状コイルを挟んだ相対的な同一空間に配置する。なお、中心とは、平面状のコイルにおいて磁束（磁界）を収束・発散させる面での重心をいう。このとき、上記磁性体に時間的に変化する電流が通電されると、そのときの磁性体のインピーダンスが外部磁界の大きさと方向に応じて変化する。該平面状のコイルの上下にそれぞれ配置された少なくとも２つの磁性体は方向の異なるバイアス磁界を印加されていることになる。そのため、それぞれのインピーダンスの変化は外部磁界よりも正または負にバイアスされている。これらの上記磁性体からの電気信号を差動増幅回路で変換すれば、外部磁界と出力電圧の関係は原点を通る直線の特性となる。こうして、この磁気インピーダンス効果素子は、磁界の大きさ及び方向が検出できるリニアな特性を持ち、かつ、信号／ノイズ比に優れる。上記磁性体にバイアス磁界を印加するためのバイアス磁界発生手段は平面状のコイル要素からなる簡単な構成を有するものである。平面状のコイルを用いるので、コイルを磁性体に巻回するといった工程が不要であり、磁気インピーダンス効果素子の全体の厚みも薄くなる。また、積層構造などを用いて、磁性体の支持が簡単かつ確実にでき、また、磁性体とバイアス磁界発生手段との距離が正確に規定でき、特性のばらつきが少ない。バイアス発生手段は、磁性体に印加されるバイアス磁界の大きさが容易に制御でき、また、磁性体のすべての部分に均一なバイアス磁界が印加できる。
また、好ましくは、この磁気インピーダンス効果素子において、上記平面状のコイル要素が少なくとも２つの渦巻きコイルからなり、接続部材は、少なくとも２つの渦巻きコイルの端部を、各々の渦巻きコイルに流れる電流により発生する磁界が互いに逆になるように電気的に接続し、上記磁性体が上記接続部材に沿って配置されている。各渦巻きコイルに電流を供給し各渦巻きコイルにより発生した磁界の合成磁界がバイアス磁界として上記磁性体に印加される。渦巻きコイルに流れる電流をコントロールすることにより、磁性体に印加されるバイアス磁界の大きさが制御される。これにより磁気インピーダンス効果素子の動作点も調整も容易に行える。
【図面の簡単な説明】
図１は、従来の磁気インピーダンス効果素子とその検出回路のシステム構成図である。
図２は、図１の磁気インピーダンス効果素子の図である。
図３は、図１の磁気インピーダンス効果素子のバイアス磁界が印加されたとき及びバイアス磁界が零のときの磁界検出特性図である。
図４は、本発明に係る磁気インピーダンス効果素子の第１実施形態の平面図である。
図５は、図４の磁気インピーダンス効果素子の下面図である。
図６は、図４及び図５のＡ−Ａ′線に沿う断面図である。
図７は、本発明の第１実施形態に係る磁気インピーダンス効果素子の他の導体パターンの下面図である。
図８は、本発明に係る磁気インピーダンス効果素子による外部磁界検出のための構成を示すブロック回路図である。
図９は、バイアス磁界が重畳されたとき及びバイアス磁界が零のときの図４の磁気インピーダンス効果素子の磁界検出特性図である。
図１０は、本発明に係る磁気インピーダンス効果素子の第２実施形態の下面図である。
図１１は、図１０のＡ−Ａ′線に沿う断面図である。
図１２は、本発明に係る磁気インピーダンス効果素子の第３実施形態のコイル基板の平面図である。
図１３は、図１２のコイル基板のＢ−Ｂ′線に沿う磁気インピーダンス効果素子の断面図である。
図１４は、本発明に係る磁気インピーダンス効果素子の第４実施形態のコイル基板の断面図である。
図１５は、バイアス磁界が重畳されたとき及びバイアス磁界が零のときの図１０の磁気インピーダンス効果素子の磁界検出特性図である。
図１６は、本発明に係る磁気インピーダンス効果素子の第５実施形態の平面図である。
図１７は、図１６の磁気インピーダンス効果素子の下面図である。
図１８は、図１６及び図１７のＡ−Ａ’線に沿う断面図である。
図１９は、本発明に係る磁気インピーダンス効果素子の第６実施形態のコイル基板の平面図である。
図２０は、図１９のコイル基板のＢ−Ｂ’線に沿う磁気インピーダンス効果素子の断面図である。
図２１は、本発明に係る磁気インピーダンス効果素子による外部磁界検出のための構成を示すブロック回路図である。
図２２は、バイアス磁界が重畳されたとき及びバイアス磁界が零のときの図１６の磁気インピーダンス効果素子の点６３ａ及び点６３ｂにおける磁界検出特性図である。
図２３は、バイアス磁界が重畳されたとき及びバイアス磁界が零のときの図１６の磁気インピーダンス効果素子の回路出力６４における磁界検出特性図である。
発明を実施するための最良の形態
以下、図面を参照して本発明に係る磁気インピーダンス効果素子の実施の形態について説明する。なお、図面において、同じ参照記号は、同一または同等のものを指す。
（第１実施形態）
図４〜図６は、本発明の第１実施形態に係る磁気インピーダンス効果素子１１を示す。磁気インピーダンス効果素子１１は、図４に示すように、ガラス、ガラスエポキシ等の電気絶縁性を有する材料からなる四角形状の支持基板１２の一つの主面上に、磁気インピーダンス効果を有する細長い磁性体１３を配置する一方、図５に示すように、上記支持基板１２のいま一つの主面上に、上記磁性体１３にバイアス磁界を印加するための四角形状の面状導体パターン３４を、支持基板１２を間にして上記磁性体１３に対向して配置してなるものである。上記磁性体１３は、面状導体パターン３４中を流れる電流の方向（図５において、矢印Ｍで示す）に対して略直交するように上記支持基板１２の一つの主面上に配設されている。また、上記面状導体パターン３４はその電流が流れる上記方向の寸法Ｘを、上記磁性体１３のその配設方向に直角な方向の寸法Ｗよりも大きくなるようにしている。
上記磁性体１３の材料としては、磁気インピーダンス効果を示すものであれば、その結晶構造（結晶・非晶質）、合金組成及び形状（細線、薄帯、薄膜）は問わないが、５ミリエルステッド、1ｋＨｚの励振磁界における透磁率が１０００以上の高透磁率金属材料であれば、磁気インピーダンス効果が顕著に認められるので好適に用いることができる。また、Ｃｏ−Ｆｅ−Ｓｉ−Ｂを主成分とする非晶質金属材料は、５ミリエルステッド、１ｋＨｚの励振磁界における透磁率が１００００以上の高透磁率材料として、細線、薄帯、薄膜のいずれの形状のもの容易に得られることから、上記磁性体１３の材料として特に好適に用いることができる。中でも、非晶質金属細線及び薄帯は大きな磁気インピーダンス効果を示す材料として特に好ましい。
上記磁性体１３は、その両端が支持基板１２の上記一つの主面に形成された接続電極１５，１６にそれぞれ電気的に接続されている。これら接続電極１５，１６は、接続パターン１７，１８により、支持基板１２の上記一つの主面の一辺の近傍に形成された端子電極２１，２２にそれぞれ引き出されている。これら端子電極２１，２２には交流電圧が印加される。また、上記面状導体パターン３４も、接続パターン２３，２４により、支持基板１２の上記いま一つの主面の一辺の近傍に形成された電流印加端子２５，２６にそれぞれ引き出されている。これら端子２５，２６には直流電流が印加される。
面状導体パターン３４は、２本の接続電極部３２ａ，３２ｂの間に、一定の幅を有する複数の帯状導体パターン３３，…，３３を等しい間隔をおいて接続したものであり、これら帯状導体パターン３３，…，３３は、上記接続電極部３２ａ，３２ｂにそれぞれ接続された接続パターン２３，２４により電流印加端子２５，２６にそれぞれ接続される。上記磁性体１３（図５参照）は帯状導体パターン３３，…，３３の方向に対して略直角に支持基板１２の一つの主面上に配設されている。また、上記帯状導体パターン３３，…，３３の各々は、例えば幅が０．２ｍｍ、厚さが０．０３ｍｍで、支持基板１２の厚み（即ち、図４の磁性体１３との距離に等しい）が０．０３〜０．８ｍｍであるとき、０．０１〜１アンペア程度の電流を流せば充分なバイアス特性が得られる。
本実施の形態では、上記帯状導体パターン３３，…，３３の各々には等しい電流が流れるので、各帯状導体パターン３３により形成される磁界の合成磁界は、磁性体１３の各部でより均一になり、さらに均一なバイアス磁界Ｈｂを発生させることができる。また、バイアス磁界Ｈｂを発生させるための構造が比較的単純であり、微小電流により効率良くバイアス磁界Ｈｂを磁性体１３に印加することができる。電流印加端子２５，２６から接続パターン２３，２４を通して直流電流が供給されると、図６に破線で示すように、上記磁性体１３に沿って走るバイアス磁界Ｈｂが発生する。このとき、上記したように、面状導体パターン３４の電流が流れる上記方向の寸法Ｘが、上記磁性体１３のその配設方向に直角な方向の寸法Ｗよりも大きくなっているので、上記バイアス磁界Ｈｂは、磁性体１３の各部に均一に分布する。これにより、磁性体１３は各部が均一に磁気的にバイアスされ、図３で説明されるように、外部磁界がゼロとなる領域における磁性体１３の両端から出力する電圧値によって、外部磁界の大きさ及びその方向（極性）を検出することができる。このように、本実施の形態では、バイアス磁界Ｈｂを発生させるための構造が単純であり、また微小電流を用いても磁性体１３に効率良くバイアス磁界Ｈｂを印加することができる。
また、図７は、変形例として、上述の面状導体パターン３４の代わりに作成した、バイアス磁界を発生させるための平面コイル状に形成した導体パターン３２を示す。この平面コイルパターン３２は、その中心部に形成されたスルーホール３４ａ及び対向する主面に形成されてスルーホール３４ａを相互に接続する接続導体パターン３５（図には断続的に図示される）により、平面コイルパターン３２の内側の端部が端子２６に接続されている。また、上記平面コイルパターン３２の外側の端部は、接続パターン２３により電流印加端子２５に接続されている。コイルの中心から外周部にかけては複数の帯状導体パターン３２となり０．０１〜１アンペア程度の電流を流せば充分なバイアス特性が得られる。
上記バイアス磁界Ｈｂを発生させるための直流電流は、支持基板１２に形成された図５及び図７に示したような平面状の面状導体パターン３４、３２のほか、一般に、一つの平面上に形成された導体部分や平面上の金属部分を流れる直流電流を用いることができ、外部磁界検出に際して必要に応じてその電流の大きさ、磁性体と電流との距離、導体部分の材質やサイズ等を変化させて用いればよい。
（実施例１）
次に、以上に説明した磁気インピーダンス効果素子の実施例１を説明する。磁気インピーダンス効果を示す磁性体１３としてアモルファス磁性細線を用い、図４〜図６において説明した磁気インピーダンス効果素子１１を製作した。磁性体１３としては、（Ｃｏ0.94Ｆｅ0.06）72.5Ｓｉ12.5Ｂ15組成で、急冷材から冷間線引き工程を経た直径３０μｍ径のアモルファス磁性細線を、更に４７５℃の温度で熱処理したものを使用した。支持基板１２は、厚さ０．６ｍｍ、幅４．０ｍｍ、長さ９ｍｍの大きさのガラス布エポキシ基板（ＦＲ−４：ＮＥＭＡ（米国電気製造業者協会））を用いた。なお、磁性体１３が接続される接続電極１５，１６の面積は１ｍｍ×１ｍｍであり、電極間距離は５ｍｍであった。
バイアス磁界Ｈｂの印加手段として、図５の導体パターン３４を支持基板１２に形成した。また、図７に示す平面コイル状導体パターン３２を用いる他は全く同様の構成を有する磁気インピーダンス効果素子も製作した。ここで、上記面状導体パターン３４は、幅０．２ｍｍ，厚さ０．０３ｍｍの８本の帯状導体パターン３３，…，３３が並列に接続されたものである。また、平面コイル状導体パターン３２は、幅０．２ｍｍ，厚さ０．０３ｍｍの帯状導体パターン３３，…，３３が並列に設けられたものである。
次に、図８に示したような回路構成で磁気インピーダンス効果素子１１の磁界検出特性を測定した。自己発振回路６１は直流電源６２で駆動され、磁性体１３に２０ＭＨｚの高周波電流を通電するために用いる。また、検波回路６３は、磁性体１３におけるインピーダンスの変化を電気信号の変化として出力端子６３ａ，６３ｂから出力する。図８に示すように自己発振回路６１に接続された磁気インピーダンス効果素子１１を、内径１００ｍｍ、巻き長３００ｍｍ、巻き数５６０ターンのソレノイドコイル中に配置して、振幅５エルステッド、周波数３００Ｈｚの三角波で変化する外部磁界中に配置し、磁界検出特性を測定した。
図９は、このようにして得られた上記磁気インピーダンス効果素子１１の磁界検出特性を示す。図９において、横軸は上記磁気インピーダンス効果素子１１にかかる外部磁界を、縦軸は上記磁気インピーダンス効果素子１１から得られた電圧を示している。また、図９の破線は導体パターン３４に通電しない場合の磁界検出特性であり、実線は面状導体パターン３４に０．３アンペアの直流電流を流した場合の検出特性である。
図９に示すように、上記面状導体パターン３４に流れる電流により発生するバイアス磁界Ｈｂによって、磁気インピーダンス効果を発現する動作点は、横軸の正の方向にシフトした。このときのバイアス磁界Ｈｂの大きさは０．２エルステッドであった。また、電流の大きさを変えずに上記面状導体パターン３４に流れる電流の向きを反転させると、図９とは逆に、検出特性の曲線の頂点は−０．２エルステッドとなった。これにより実施例１の磁気インピーダンス効果素子１１によって、外部磁界の大きさと極性（方向）が検知できることを確認した。
同様に、図７に示した構成でも、電流印加端子２５，２６間に０．３アンペアの直流電流を通電すると、磁性体１３には０．２エルステッドのバイアス磁界Ｈｂが印加されることが分かった。そして実施例１と同様に、実施例２の磁気インピーダンス効果素子３１においても磁界の大きさと極性（方向）が検知できることを確認した。
以下の第２〜第４の実施の形態において、上記面状導体パターン３４、３２に代わる、種々のバイアス磁界発生手段を用いた磁気インダクタンス効果素子を説明する。
（第２実施形態）
次に、本発明に係る第２実施形態の磁気インピーダンス素子を説明する。この磁気インピーダンス素子１１は、第１実施形態におけるのと同様に図４に示すように支持基板１２の上面に磁性体１３を配置するが、支持基板の下面とコイル基板４３とは、図１０と図１１に示す構造を備える。
すでに図４により説明した磁気インピーダンス効果素子と同様に、ガラスもしくはガラスエポキシ等の電気絶縁性を有する材料からなる四角形状の支持基板１２の一つの主面上に、磁気インピーダンス効果を有する磁性体１３を配置している。磁性体１３は、その両端が支持基板１２の上記一つの主面に形成された接続電極１５，１６にそれぞれ電気的に接続されている。これら接続電極１５，１６は、接続パターン１７，１８により、支持基板１２の上記一つの主面の一辺の近傍に形成された端子電極２１，２２にそれぞれ引き出されている。これら端子電極２１，２２には交流電圧が印加される。また、図１０と図１１に示すように、上記支持基板１２のいま一つの主面側には、上記磁性体１３にバイアス磁界を印加するための渦巻き状の平面コイルパターン（渦巻きコイル）４２ａ，４２ｂを形成したコイル基板４３を配置している。
コイル基板４３において、上記二つの平面コイルパターン４２ａ，４２ｂは、その各々の中心部にそれぞれ形成されたスルーホール４４ａ，４４ｂ及び上記コイル基板４３の二つの平面コイルパターン４２ａ，４２ｂの形成面と対向する主面に形成されて上記スルーホール４４ａ，４４ｂを相互に接続する接続導体パターン４５（破線で示す）により、平面コイルパターン４２ａ，４２ｂの各内側の端部が相互に接続されている。また、上記二つの平面コイルパターン４２ａ，４２ｂの各外側の端部は、接続パターン２３，２４により電流印加端子２５，２６にそれぞれ接続されている。上記コイル基板４３は、図１１に示すように、その二つのコイルパターン４２ａ，４２ｂを、一つの主面に磁性体１３を支持してなる支持基板１２のいま一つの主面に向けて、該支持基板１２に当接させている。
本実施の形態では、平面コイルパターン４２ａと平面コイルパターン４２ｂとは、電流印加端子２５，２６の間に異なる極性で直列接続されている。なお、本発明において、「コイルの極性」とは、コイルに直流電流を通電した際に形成される磁界の極性を指しており、コイルが「異なる極性で直列に接続される」とは、複数のコイルを直列に接続するに際して、互いに接続されるコイルの端部の磁極の極性が互いに反対になるようにコイルを接続すること指している。このように、複数のコイルを接続したものでは、コイル間に形成される磁界の分布を、各コイルの仕様や組み合わせを変えることにより、適宜調節することができる。このことから、本実施の形態では、二つの平面コイルパターン４２ａ，４２ｂに流れる電流を制御することにより、磁性体１３に印加されるバイアス磁界Ｈｂの分布を容易にコントロールできる。また、平面コイルパターン４２ａ，４２ｂの仕様や組み合わせが異なる多数のコイル基板４３を予め用意しておけば、コイル基板４３を交換することにより、バイアス磁界Ｈｂの調整範囲が大幅に拡大される。因みに、本実施の形態では、平面コイルパターン４２ａ，４２ｂからの距離が０．１〜１０ｍｍの位置に配置された磁性体１３に対して、０．０５〜１０エルステッドの大きさのバイアス磁界Ｈｂを容易に印加することができる。さらに、バイアス磁界印加手段は、磁性体１３にコイルを巻回する構造を有するものではないので、構造が簡単であり、その製造も容易になる。
（第３実施形態）
次に、本発明の第３実施形態に係る磁気インピーダンス素子５１を説明する。この磁気インピーダンス素子５１は、第１実施形態と同様に、図４に示すように支持基板の上面に磁性体を配置するが、支持基板１２の下面とコイル基板４３とは、図１２と図１３に示す構造を備える。この磁気インピーダンス効果素子５１では、二本の接続電極部５２，５３の間に、一定の幅を有する複数の帯状導体パターン３３，…，３３を等しい間隔をおいて接続してなる接続導体パターン４５ａにより、二つの上記平面コイルパターン４２ａ，４２ｂが接続される。上記帯状導体パターン３３，…，３３の各々は、その電流が流れる方向の寸法Ｘが磁性体１３の寸法Ｗ（図４、図１２参照）よりも大きくなっている。
上記二本の接続電極部５２，５３のうちの一方の接続電極部５２は、平面コイルパターン４２ａの外側の端部に接続され、他方の接続電極部５３は、平面コイルパターン４２ｂの外側の端部に接続されている。そして、上記平面コイルパターン４２ａの内側の端部は、スルーホール５４及び接続パターン２３を通して電流印加端子２５に接続されている。また、いま一つの上記平面コイルパターン４２ｂの内側の端部は、スルーホール５５及び接続パターン２４を通して電流印加端子２６に接続されている。
本実施の形態では、上記帯状導体パターン３３，…，３３の各々には等しい電流が流れるので、各帯状導体パターン３３により形成される磁界の合成磁界は接続導体パターン４５ａの略全領域で均一になり、平面コイルパターン４２ａ，４２ｂの間においても、バイアス磁界Ｈｂは略均一になる。従って、磁気インピーダンス効果素子５１の外形の制約から、磁性体１３の長さが長く、しかも平面コイルパターン４２ａ，４２ｂの面積が制限されるような場合にも、磁性体１３の各部に均一なバイアス磁界Ｈｂを印加することができる。
なお、これまで説明した第１から第３までの実施の形態は、電気絶縁材料からなる支持基板の１つの主面上に磁性体を配置させ、いま一つの主面上にバイアス磁界発生手段が配置されている。一方、磁性体とバイアス磁界発生手段を支持基板の同一の主面上に配した配置もまた、本発明の磁気インピーダンス効果素子として好適である。以下、図１０〜図１１で示したのと同様の平面コイルを例にして、この点について説明する。はじめに、渦巻き型平面コイル４２ａ，４２ｂを電気絶縁性の支持基板４３の１つの主面上に形成し、その上に電気的絶縁性の樹脂などを塗布して絶縁層を形成する。一方、支持基板１２の１つの主面上には、磁気インピーダンス効果を示す磁性体１３とその電気的信号を検出するための電極端子１５，１６，１７，１８，２１，２２が形成される。そして、磁性体１３と平面コイル４２ａ，４２ｂは絶縁層を介して対抗するように配置される。このような配置にすることにより、磁性体とバイアス磁界発生手段は電気的な絶縁状態が保たれる。なお、平面コイル４２に接続された電流印加端子２５，２６の部分は、絶縁層が形成されないようにしなければならないため、絶縁層は必要な領域にだけ部分的に形成する必要があるが、このようなパターニングは、プリント回路基板で永久保護マスクとして一般に用いられている感光性レジストを用いることで容易に得ることができる。さらに、このようなパターニング技術を応用して多層構造にすることで、平面コイルと磁性体を同じ支持基板の同一主面上に配することも可能である。
（第４実施形態）
図１４は、本発明の第４実施形態に係る磁気インピーダンス効果素子５１を示す。この磁気インピーダンス効果素子５１は、図１０と図１１で説明した磁気インピーダンス効果素子３１の二つの平面コイルパターン４２ａ，４２ｂを形成したコイル基板４３に代えて、一つの主面に磁性体１３を支持してなる支持基板１２のいま一つの主面に、二つのソレノイドコイル５６ａ，５６ｂを、その各一端側のコイル面が上記磁性体１３に対向するように配置するとともにこれらコイル面の中心が上記磁性体１３に沿うように配置してなるものである。これらソレノイドコイル５６ａ，５６ｂはそれらの各々を流れる電流の方向が互いに逆方向になるように、逆直列に接続される。上記二つのソレノイドコイル５６ａ，５６ｂは、その長さｈが短い場合は、実質的な平面状コイルとして取り扱うことができる。なお、コイル外径ｄ（コイル断面の最大寸法）に対するコイルの長さｈの比ｄ／ｈが３以上のコイルを、実質的な平面状コイルとして使用できる。
なお、これまで説明した第１から第４の実施の形態は、いずれも電気絶縁材料からなる支持基板の１つの主面上に磁性体を配置させ、いま一つの主面上にバイアス磁界発生手段が配置されている。一方、磁性体とバイアス磁界発生手段を支持基板の同一の主面上に配した配置もまた、本発明の磁気インピーダンス効果素子として好適である。例えば、第２の実施形態と同様のバイアス磁界発生手段を利用する場合を例に挙げる。バイアス磁界発生手段１４を電気絶縁性の支持基板１２の１つの主面上に形成し、その上に電気的絶縁性の樹脂などを塗布して絶縁層を形成し、さらにその上に磁気インピーダンス効果を示す磁性体１３を配する。このような配置にすることにより、磁性体とバイアス磁界発生手段は電気的な絶縁状態が保たれる。バイアス磁界発生手段に接続された電流印加端子２５，２６の部分は、絶縁層が形成されないようにしなければならないため、絶縁層は必要な領域にだけ部分的に形成する必要があるが、このようなパターニングは、プリント回路基板で永久保護マスクとして一般に用いられている感光性レジストを用いることで容易に得ることができる。
第４実施の形態においても、二つのソレノイドコイル５６ａ，５６ｂは、それらが逆直列に接続されているので、これら二つのソレノイドコイル５６ａ，５６ｂに流れる電流を制御することにより、図１４において破線で示される平面状のバイアス磁界Ｈｂを得ることができ、その分布を容易にコントロールすることができる。例えば、直径１０ｍｍ、巻数１０ターン、線径０．１ｍｍのワイヤで構成されたソレノイドコイル５６ａ，５６ｂを中心間距離１２ｍｍで逆直列に結合したものをバイアス磁界印加手段として用いた磁気インピーダンス効果素子５１では、ソレノイドコイル５６ａ，５６ｂの各一端から距離０．１〜１０ｍｍの位置に配置された磁性体１３に対して０．０５〜１０エルステッドの一定の大きさのバイアス磁界Ｈｂを容易に発生できる。そして、図１５において実線で示すような特性を有する外部磁界の方向（極性）と大きさが検出可能な磁気インピーダンス効果素子を得ることができる。なお、本実施の形態において、上記二つのソレノイドコイル５６ａ，５６ｂに代えて、種々の形状のものを用いることができる。例えば、導線を８の字状に巻装してなる８の字状コイル等も使用できる。
次に、以上に説明した磁気インピーダンス効果素子の実施例２〜５を説明する。
（実施例２）
本発明の第２実施形態に係る磁気インピーダンス素子５１を以下のように作成した。バイアス磁界Ｈｂの印加手段として、図１０において説明したコイル基板４３を製作した。該コイル基板４３に形成された平面コイルパターン４２ａ，４２ｂは、上記コイル基板４３に貼着した銅箔をエッチング加工により、幅０．２ｍｍで６ターンの方形状の渦巻き状とした。上記平面コイルパターン４２ａ，４２ｂを、各々が発生する磁界が互いに逆極性になるように、スルーホール４４ａ，４４ｂと接続導体パターン４５とにより、逆直列に接続した。そして、上記コイル基板４３を、磁性体１３が２つの平面コイルパターン４２ａ，４２ｂの中心を結ぶ線分上にあって、かつ、バイアス磁界Ｈｂの方向と磁性体１３の長手方向が一致するように、支持基板１２の上記磁性体１３が配置された主面と対向するいま一つの主面に当接させて配置した。
次に、製作した磁気インピーダンス効果素子１１は、実施例１と同様の方法により、図８に示したような回路構成で磁界検出特性を測定した。図１５は、測定の結果を示す。図１５において、破線は上記平面コイルパターン４２ａ，４２ｂに通電しなかったときの出力特性であり、縦軸に関して対称になっている。一方、上記平面コイルパターン４２ａ，４２ｂに通電したときには、実線で示すように、出力特性は縦軸に関して非対称となっている。すなわち、上記平面コイルパターン４２ａ，４２ｂに０．３アンペアの電流を通電したとき、磁気インピーダンス効果素子１１の動作点は２．１０エルステッドだけ横軸の方向にシフトしている。これにより、磁気インピーダンス効果素子１１により磁界の大きさ及び極性（方向）が検知できることを確認した。
（実施例３）
次に、本発明の第３実施形態に係る磁気インピーダンス素子を以下のように作成した。バイアス磁界Ｈｂの印加手段として、図１２で説明した平面コイルパターン４２ａ，４２ｂ及びそれらを接続する接続導体パターン４５ａを有するコイル基板４３を製作した。該コイル基板４３に形成された平面コイルパターン４２ａ，４２ｂ及び接続導体パターン４５は、上記コイル基板４３に貼着した厚さ０．０３ｍｍの銅箔をエッチング加工することにより形成した。上記平面コイルパターン４２ａ，４２ｂ及び接続導体パターン４５の各部はいずれも幅０．２ｍｍで、平面コイルパターン４２ａ，４２ｂの巻数はいずれも３ターンであり、帯状導体パターン３３は９本であった。そして、上記コイル基板４３を、図１０に示すように、磁気インピーダンス効果素子１３が２つの平面コイルパターン４２ａ，４２ｂの中心を結ぶ線分上にあり、かつ、バイアス磁界Ｈｂの方向と磁性体１３の長手方向が一致するように、支持基板１２の上記磁性体１３が配置された主面と対向するいま一つの主面に当接させて配置した。上記磁性体１３と平面コイルパターン４２ａ，４２ｂ及び接続導体パターンとの間の距離は、０．８ｍｍであった。
次に、上記平面コイルパターン４２ａ，４２ｂ及び接続導体パターンに１．２アンペアの直流電流を通電し、製作した磁気インピーダンス効果素子５１の特性を、実施例１と同様の手法により測定した。その結果、磁性体１３には、２．０エルステッドのバイアス磁界Ｈｂが印加されることが分かった。そして、実施例１と同様に、磁気インピーダンス効果素子３１においても磁界の大きさ及び極性（方向）が検知できることを確認した。
（実施例４）
本発明の第４実施形態に係る磁気インピーダンス素子を以下のように作成した。バイアス磁界Ｈｂの印加手段として、図１４で示すソレノイドコイル５６ａ，５６ｂを製作した。これらソレノイドコイル５６ａ，５６ｂは、０．２ｍｍの被覆導線を用いて、外径ｄが５ｍｍ、長さｈが１．０ｍｍとなるように５ターン巻回し、扁平比５（コイル外径ｄに対する長さｈの比ｄ／ｈ）となるようにした。そして２つの上記ソレノイドコイル５６ａ，５６ｂは、図１４に示すように、通電したときにこれらソレノイドコイル５６ａ，５６ｂがそれぞれ発生する磁界が逆極性となるように接続し、支持基板１２を間にして、その各一端側が磁性体１３に対向するように配置した。
次に、製作した上記磁気インピーダンス効果素子５１の特性を、実施例１と同様の手法により測定した。測定の結果、ソレノイドコイル５６ａ，５６ｂに０．３アンペアの電流を流すと、２．１エルステッドのバイアス磁界Ｈｂが磁性体１３に印加されることを確認した。
（第５実施形態）
図１６、図１７及び図１８は、本発明の第５施形態に係る磁気インピーダンス効果素子を示す。図１６に示すように、磁気インピーダンス効果素子は、ガラスまたはガラスエポキシ等の電気絶縁性を有する材料からなる四角形状の支持基板１２の一つの主面上に、磁気インピーダンス効果を有する磁性体１３を配置している。磁性体１３はその両端が、支持基板１２の上記の主面に形成された接続電極１５，１６にそれぞれ電気的に接続されている。これらの接続電極１５，１６は接続パターン１７，１８により、支持基板１２の上記の主面の一辺の近傍に形成された端子電極２１，２２に引き出され、端子電極２１，２２には交流電流が印加される。
図１７に示すように、コイル基板４３には、上記磁性体１３にバイアス磁界を印加するための渦巻き状の平面コイルパターン（渦巻きコイル）４２を形成している。端子電極２５，２６がコイル基板４３の一つの主面の一辺の近傍に形成される。平面コイルパターン４２の外周側の１端は端子電極２５に接続され、内周側の１端は、スルーホール４４ａを介して他方の主面の接続導線パターン４５に接続され、さらにスルーホール４４ｂを介して端子電極２６に接続される。端子電極２５，２６にはバイアス磁界発生用の電流が印加される。
図１８に示すように、磁気インピーダンス効果素子１１は、積層された２枚の磁気インピーダンス効果素子１１の支持基板１２と１枚のコイル基板２５とからなる。（２枚の支持基板１２とその上の構成部品は、添字ａ，ｂにより区別する。）磁性体にバイアス磁界を印加するためのコイル基板４３は、磁性体１３ａ，１３ｂを備える２枚の支持基板１２ａ，１２ｂの間に配置される。コイル基板４３は、支持基板１２の磁性体を備えない側の主面側に配置される。磁性体１３と平面コイルパターン４２は、磁性体１３の形成した両電極部が少なくとも上記平面コイル４２の中心と外周を結ぶ距離（半径）よりも短いことが望ましく、２つの磁性体１３ａ及び１３ｂは、コイル４２を挟み、コイル主面から等しい距離に位置していることが好ましい。図１６に示した例では、磁性体１３の両端部１５、１６は平面コイルパターン４２の中心と外周との間に位置される。３枚の基板を組み合わせて、磁性体１３が簡単かつ確実に支持でき、磁性体１３ａ，１３ｂと平面状コイルパターン４２との距離が正確に規定される。本実施の形態では、磁性体１３ａ，１３ｂの一方の端部は平面コイルパターン４２の中心に配置し、接続電極１６ａ，１６ｂを形成した。もう一方の端部は平面コイルパターン４２の最外周部に配置し、接続電極１５ａ，１５ｂを形成した。
なお、磁性体１３ａ，１３ｂと平面コイルパターン４２との相対位置関係がコイルを挟んだ対称な位置にある条件を満足すれば、接続電極１６ａ，１６ｂが平面コイルパターンの中心から外周までのいずれの位置にあっても同様な効果が得られる。また、アモルファス磁性細線１３が接続電極１５、１６で電気的に接続され、平面コイルパターンの中心からコイル外周部を結ぶ半径内にあれば、磁性線の長さに制限なく、同様な効果が得られるが、２つの磁性線の検出感度に差を生じないためには磁性線の長さを等しくすることが望ましい。
こうして、特性のばらつきが少なく、しかも、種々の用途に用いられる磁気センサの仕様に簡単に対応できる。
本実施の形態では、平面コイルパターン４２に直流電流を流して磁界を発生する。磁界分布は、各コイルの仕様や組み合わせを変え、適宜調節することにより、磁性体１３に印加されるバイアス磁界Ｈｂの分布を容易に制御できる。また、支持基板１２ａ、１２ｂおよびコイル基板４３について基板の積層技術を用いれば積層内に集約された配線パターンを形成できる。ちなみに、本実施の形態では、平面コイルパターン４２からの距離が０．１〜１０ｍｍの位置に配置された磁性体１３に対して、磁界の方向が逆で０．０５〜１０エルステッドの大きさのバイアス磁界Ｈｂを容易に印加することができる。さらに、本実施の形態では、磁性体１３にコイルを巻回する構造を有するものではないので、磁界発生のための構造が簡単であり、素子の製造も容易になる。
（第６実施形態）
図１９と図２０は、本発明の第６実施形態に係る磁気インピーダンス効果素子を示す。この磁気インピーダンス効果素子１１はコイル基板１４３において、図１６と図１７において説明した第５実施形態の磁気インピーダンス効果素子１１の１つの平面コイルパターン４２に代えて、同一主面上において二つの平面状コイル１４２ａ及び１４２ｂを直列に接続してなるものである。平面状コイル１４２ａ，１４２ｂは、その各々の中心部にそれぞれ形成されたスルーホール１４４ａ，１４４ｂを介して、コイル基板１４３の二つの平面コイルパターン１４２ａ，１４２ｂを形成した主面と対向する主面に形成された接続導体パターン１４５よりスルーホール１４４ａ，１４４ｂの間が接続されて、平面コイルパターン１４２ａ，１４２ｂの各内側の端部が相互に接続される。また、二つの平面コイルパターン１４２ａ，１４２ｂの各外側の端部は、接続パターン１２３、１２４により電流印加端子１２５，１２６にそれぞれ接続されている。
上記コイル基板１４３は、図２０に示すように、その二つのコイルパターン１４２ａ，１４２ｂを、一つの主面に磁性体１１３ａを支持してなる一方の支持基板１１２ａのいまひとつの主面に向けて、該支持基板１１２ａに当接させている。そして、上記コイル基板１４３の該接続導体パターン１４５が存在する主面には一つの主面に磁性体１１３ｂを支持していない支持基板１１２ｂのいま一つの主面に向けて、もう一つの支持基板１１２ｂを当接させている。
本実施の形態では、渦巻き型平面コイル１４２ａ，１４２ｂは同一平面状に形成され、コイル基板１４３上に配置されている。磁性体１１３ａ，１１３ｂは、渦巻き型平面コイル１４２に配置された面を挟んで対称な位置にある。磁性体１１３ａ，１１３ｂの長さは等しく、かつ、一方の端部は渦巻き型平面コイル１４２ａの中心上に、もう一方の端部は他方の渦巻き型平面コイル１４２ｂの中心上に配置する。
本実施の形態では、平面コイルパターン１４２ａと平面コイルパターン１４２ｂとは、異なる極性で電流印加端子１２５，１２６の間に異なる極性で直列接続されている。なお、先に述べたように、本発明において、コイルの「極性」とは、コイルに直流電流を通電した際に形成される磁界の極性を指しており、「コイルが異なる極性で直列に接続される」とは、複数のコイルを直列に接続するに際して、互いに接続されるコイル端部の磁極の極性が互いに反対になるようにコイルを接続することを指している。このことから、この実施の形態では、二つの平面コイルパターン１４２ａ，１４２ｂに流れる電流を制御することにより、磁性体１１３に印加されるバイアス磁界Ｈｂの分布を容易にコントロールできる。ちなみに本実施の形態では、平面コイルパターン１４２ａ，１４２ｂから距離が０．１〜１０ｍｍの位置に配置された磁性体１１３に対して、０．０５エルステッド〜１０エルステッドの大きさのバイアス磁界Ｈｂを容易に印加することができる。さらに、本実施の形態では、バイアス磁界を発生するコイルは、磁性体１１３にコイルを巻回する構造を有するものではないので、構造が簡単であり、その製造も容易になる。
上記磁性体１１３ａ及び１１３ｂにおいて磁性体に形成した電極間の長さが少なくとも上記平面コイル１４２ａと平面コイル１４２ｂの中心を結ぶ長さより短いことが望ましく、２つの磁性体１１３ａ及び１１３ｂは、コイル１４２ａ及び１４２ｂを挟みコイル主面から等しい距離に位置していることが好ましい。
なお、２つの該磁性体１１３の相対的な位置関係がコイル１４２を挟んだ対称な位置にある条件を満足すれば、接続電極１１５，１１６が２つの渦巻き型平面コイル１４２の中心間を結ぶ直線上のいずれの位置に配置されても、同様な効果が得られる。
次に、以上に説明した磁気インピーダンス効果素子の実施例５〜６を説明する。
（実施例５）
本発明の第５実施形態に係る磁気インピーダンス素子５１を以下のように作成した。次に、バイアス磁界Ｈｂの印加手段として、図１７において説明したコイル基板４３を作製した。該コイル基板４３に形成された平面コイルパターン４２は、上記コイル基板４３に貼着した銅箔をエッチング加工により、幅０．２ｍｍで１２ターンの方形状の渦巻き状とした。上記平面コイルパターン４２は、スルーホール４４ａ，４４ｂと接続導体パターン４５とにより接続した。そして、磁性体１３ａ及び１３ｂは、上記基板コイル４３の平面コイルパターン４２を挟んで対称になるように設置した。このとき、コイルパターン４２に電流が流れバイアス磁界＋Ｈｂと−Ｈｂが生じたときバイアスの方向と磁性体１３ａ，１３ｂの長手方向が一致するように、支持基板１２ａ及び１２ｂの上記磁性体１３ａ，１３ｂが配置された主面と対向するいま一つの主面とコイル基板４３を当接させて配置した。ただし、支持基板１２ａはコイル基板４３の平面コイルパターンを有する主面とで当接されている。そのため、磁性体１３ａ及び磁性体１３ｂが平面コイルパターン４２との距離がそれぞれ等しくなるように、支持基板１２ａは支持基板１３ｂよりコイル基板４３の厚み分だけ厚くしている。ここでは、コイル基板４３の厚みが０．２ｍｍであるから支持基板１２ｂの厚みは０．４ｍｍとした。
次に、図２１に示したような回路構成で、磁気インピーダンス効果素子１１の磁界検出特性を測定した。図２１において、２つの自己発振回路６１ａ、６１ｂはそれぞれ直流電源で駆動され、磁性体１３ａ、１３ｂに２０ＭＨｚの高周波電流を通電する。また、検波回路６２ａ、６２ｂは自己発振回路６１ａ、６１ｂからの出力信号を検波する。差動増幅回路６５は、磁性体１３ａ、１３ｂにおけるインピーダンスの変化を電気信号の変化として出力端子６４から出力する。
次に、このように各回路が接続された磁気インピーダンス効果素子１１は、実施例１と同様の方法により、磁界検出特性を測定した。図２２は、図２１中の回路で検波回路後の出力点６３ａ及び６３ｂにおける測定の結果を示す。図２２において、破線は平面コイルパターン４２に通電しなかったときの出力特性であり、縦軸に関して対称になっている。一方、平面コイルパターン４２に通電したときには、図２２において実線で示すように、磁気インピーダンス効果素子１１ａ及び１１ｂの出力特性は縦軸に関して非対称となっている。すなわち、上記平面コイルパターン４２に０．３アンペアの電流を通電したとき、磁気インピーダンス効果素子１１ａの動作点は＋２．１エルステッドだけ横軸の正方向にシフトした特性が得られる。また、磁気インピーダンス効果素子１１ｂの動作点は−２．１エルステッドだけ横軸の負方向にシフトした特性が得られる。これにより、磁気インピーダンス効果素子１１ａ及び１１ｂより、単独でも磁界の大きさ及び極性（方向）が検知できることを確認した。
図２３は、図２１の回路の出力端子６４で得られる外部磁界検出特性を示す。検波回路６３ａと６３ｂの後の特性の電気信号は差動増幅回路６５で変換される。よって、±２．１エルステッド内の外部磁界に対しては出力は原点を通る直線の特性になり、信号／ノイズ比が向上していることが分かる。
（実施例６）
次に、本発明の第６実施形態に係る磁気インピーダンス素子５１を以下のように作成した。バイアス磁界の印加手段として、図１９で説明した平面コイルパターン１４２ａ，１４２ｂを有するコイル基板１４３を製作した。該コイル基板１４３に形成された平面コイルパターン１４２ａ，１４２ｂは、上記コイル基板１４３に貼着した厚さ０．０３ｍｍの銅箔をエッチング加工することにより形成した。平面コイルパターン１４２ａ，１４２ｂの各部はいずれも幅０．２ｍｍで、平面コイルパターン１４２ａ，１４２ｂの巻数はいずれも６ターンであった。そして、平面コイルパターン１４２ａ、１４２ｂを、各々が発生する磁界が互いに逆極性になるように、スルーホール１４４ａ、１４４ｂと接続導体パターン１４５とにより、逆直列に接続した。そして、上記コイル基板１４３を挟んだ位置に磁性体１１３ａ及び１１３ｂがあって、２つの平面コイルパターン１４２ａ、１４２ｂの中心を結ぶ線分上にあり、かつ、バイアス磁界Ｈｂの方向と磁性体１１３の長手方向が一致するように、支持基板１１２の上記磁性体１１３ａ及び１１３ｂが配置された主面と対向するいま一つの主面に当接させて配置した。
次に、製作した磁気インピーダンス効果素子１１１の特性を、上記平面コイルパターン１４２ａ，１４２ｂに０．２アンペアの直流電流を通電し、実施例４と同様の手法により測定した。その結果、磁性体１１３ａ及び１１３ｂには、大きさ１．４エルステッドのバイアス磁界Ｈｂが印加されることが分かった。そして、実施例５と同様に、磁気インピーダンス効果素子１１１においても磁界の大きさ及び極性（方向）が検地でき、外部磁界に対する出力電圧が信号／ノイズ比が高く、かつ、原点を通る直線の特性になることを確認した。
なお、本発明は実施の形態を用いて詳細に説明されたが、実施の形態は例として説明されたものであり、本発明は上述の実施の形態に限定されるものではない。請求の範囲に記載された範囲で当業者が変形可能な範囲は本発明に含まれる。
【図１】
0004338789.tif 000002
【図２】
0004338789.tif 000003
【図３】
0004338789.tif 000004
【図４】
0004338789.tif 000005
【図５】
0004338789.tif 000006
【図６】
0004338789.tif 000007
【図７】
0004338789.tif 000008
【図８】
0004338789.tif 000009
【図９】
0004338789.tif 000010
【図１０】
0004338789.tif 000011
【図１１】
0004338789.tif 000012
【図１２】
0004338789.tif 000013
【図１３】
0004338789.tif 000014
【図１４】
0004338789.tif 000015
【図１５】
0004338789.tif 000016
【図１６】
0004338789.tif 000017
【図１７】
0004338789.tif 000018
【図１８】
0004338789.tif 000019
【図１９】
0004338789.tif 000020
【図２０】
0004338789.tif 000021
【図２１】
0004338789.tif 000022
【図２２】
0004338789.tif 000023
【図２３】
0004338789.tif 000024